(57)【要約】【課題】景観、生態系等の環境面の問題に対処しうる上に、所要部材の少なく、構造的にも簡単で経済的である法枠用材を提供する。【解決手段】法枠用材を、法面に沿って複数の枠部材が枠状に組まれる法枠に用いられるものであって、複数の木質片が一体化された木質材料からなる木質系のものとする。木質材料は、木質片同士が略１方向に揃えられているものが好ましく、このようなものには、木質片同士を略１方向に揃えてなる木質片群を、熱圧成形することにより一体化させたものがある。熱圧成形は、好ましくはさらに接着剤を用いて行われる。【選択図】なし【特許請求の範囲】
【請求項１】
法面に沿って複数の枠部材が枠状に組まれる法枠に用いられる法枠用材であって、複数の木質片が一体化された木質材料からなることを特徴とする木質法枠用材。
【請求項２】
複数の木質片が一体化された木質材料は、木質片同士が略１方向に揃えられていることを特徴とする請求項１記載の木質法枠用材。
【請求項３】
複数の木質片が一体化された木質材料は、木質片同士を略１方向に揃えてなる木質片群を、熱圧成形することにより一体化させたものであることを特徴とする請求項１または２記載の木質法枠用材。
【請求項４】
熱圧成形するのを、さらに接着剤を用いて行うことを特徴とする請求項１〜３のいずれかに記載の木質法枠用材。
【請求項５】
接着剤の種類及び／又は接着剤の木質片に対する配合割合により、法枠としたときに法枠が崩壊されるまでの時間を調整しうるようにしたことを特徴とする請求項４記載の木質法枠用材。
【請求項６】
接着剤が天然物由来の成分を含むことを特徴とする請求項４または５記載の木質法枠用材。
【請求項７】
さらに植生用添加剤を含むことを特徴とする請求項１〜６のいずれかに記載の木質法枠用材。
【請求項８】
植生用添加剤が肥料、成長促進剤、発芽促進剤、水分保持材及び土壌改良材の中から選ばれた少なくとも１種であることを特徴とする請求項７記載の木質法枠用材。
【請求項９】
請求項１〜８のいずれかに記載の木質法枠用材からなる木質法枠。
【請求項１０】
木質法枠用材が法面に沿って枠状に配設されるように組まれてなることを特徴とする請求項９記載の木質法枠。
【請求項１１】
木質片同士を略１方向に揃えてなる木質片群を、熱圧成形して一体化することを特徴とする木質法枠用材の製造方法。
【請求項１２】
熱圧成形するに際し、水蒸気加熱を行うことを特徴とする請求項１１記載の製造方法。
【請求項１３】
熱圧成形するのを、さらに接着剤を用いて行うことを特徴とする請求項１１または１２記載の製造方法。
【発明の詳細な説明】
【技術分野】
【０００１】
本発明は、木質法枠用材、その製造方法及び木質法枠に関する。
【背景技術】
【０００２】
従来、造成法面保護（造成法面の崩壊防止）のため、コンクリート製、網製、プラスチック製の法枠が施工されている。法枠は、法面を細かいグリッドに分割することにより、植生基盤が大きく崩壊するのを防ぐ役目をしており、植生が根付き、基盤が安定すれば不要となるものである。
このような従来の法枠は自然には分解せず、景観や生態系の面から、回収するのが好ましいが、回収には多大な労力を要するという問題がある。
また、小径木や木の枝などを法枠用材に用いる場合は、景観上、生態系上の問題は軽減されるものの、十分に生分解されるまでには長期間かかるという問題がある。
そこで、天然植物繊維の布または不織布などからなり、両端にアンカー留め金具を設けた袋に木チップを充填してなる法枠用材が提案されている（例えば、特許文献１参照）。
しかしながら、この法枠用材は、種々の部材を要し、構造的にも複雑で、経済的ではないものである。
【０００３】
【特許文献１】特開平１０−４６５８７号公報
【発明の開示】
【発明が解決しようとする課題】
【０００４】
本発明は、このような事情の下、景観、生態系等の環境面の問題に対処しうる上に、所要部材の少なく、構造的にも簡単で経済的である法枠用材を提供することを課題とするものである。
【課題を解決するための手段】
【０００５】
本発明者らは、上記課題を解決すべく鋭意検討した結果、法枠用材として、複数の木質片が一体化された木質材料からなるものが上記課題に資することを見出し、この知見に基づいて本発明をなすに至った。
【０００６】
すなわち、本発明の第１の発明によれば、法面に沿って複数の枠部材が枠状に組まれる法枠に用いられる法枠用材であって、複数の木質片が一体化された木質材料からなることを特徴とする木質法枠用材が提供される。
【０００７】
また、本発明の第２の発明によれば、第１の発明において、複数の木質片が一体化された木質材料は、木質片同士が略１方向に揃えられていることを特徴とする木質法枠用材が提供される。
【０００８】
また、本発明の第３の発明によれば、第１または２の発明において、複数の木質片が一体化された木質材料は、木質片同士を略１方向に揃えてなる木質片群を、熱圧成形することにより一体化させたものであることを特徴とする木質法枠用材が提供される。
【０００９】
また、本発明の第４の発明によれば、第１〜３のいずれかの発明において、熱圧成形するのを、さらに接着剤を用いて行うことを特徴とする木質法枠用材が提供される。
【００１０】
また、本発明の第５の発明によれば、第４の発明において、接着剤の種類及び／又は接着剤の木質片に対する配合割合により、法枠としたときに法枠が崩壊されるまでの時間を調整しうるようにしたことを特徴とする木質法枠用材が提供される。
【００１１】
また、本発明の第６の発明によれば、第４または５の発明において、接着剤が天然物由来の成分を含むことを特徴とする木質法枠用材が提供される。
【００１２】
また、本発明の第７の発明によれば、第１〜６のいずれかの発明において、さらに植生用添加剤を含むことを特徴とする木質法枠用材が提供される。
【００１３】
また、本発明の第８の発明によれば、第７の発明において、植生用添加剤が肥料、成長促進剤、発芽促進剤、水分保持材及び土壌改良材の中から選ばれた少なくとも１種であることを特徴とする木質法枠用材が提供される。
【００１４】
また、本発明の第９の発明によれば、第１〜８のいずれかの発明の木質法枠用材からなる木質法枠が提供される。
【００１５】
また、本発明の第１０の発明によれば、第９の発明において、木質法枠用材が法面に沿って枠状に配設されるように組まれてなることを特徴とする請求項９記載の木質法枠が提供される。
【００１６】
また、本発明の第１１の発明によれば、木質片同士を略１方向に揃えてなる木質片群を、熱圧成形して一体化することを特徴とする木質法枠用材の製造方法が提供される。
【００１７】
また、本発明の第１２の発明によれば、第１１の発明において、熱圧成形するに際し、水蒸気加熱を行うことを特徴とする製造方法が提供される。
【００１８】
また、本発明の第１３の発明によれば、第１１または１２の発明において、熱圧成形するのを、さらに接着剤を用いて行うことを特徴とする製造方法が提供される。
【発明の効果】
【００１９】
本発明の木質法枠用材によれば、その木質材料の一体化された複数の木質片が屋外や野外に放置されると徐々に崩壊して一旦木質片となり、さらに長期間かけて自然に分解される。また、この木質法枠用材は、木質材料であるので保水性があり、植生が根付くのを促進する効果も奏する。
【発明を実施するための最良の形態】
【００２０】
以下、本発明の木質法枠用材について、その構成や、その製造法を、また、木質法枠を詳細に説明する。
本発明の木質法枠用材は、複数の木質片が一体化された木質材料からなるものである。
この木質法枠用材を構成する木質材料における木質片について、その素材は特に限定されないが、木質資源の有効利用を促進する意味では、間伐材や林地残材などの未利用の木材や、建設系廃棄木材、木材加工工場で発生する端材などが好適である。
木質片は、その素材や破砕方法によって異なるが、木材の持つ繊維方向に長い寸法のものが好適である。繊維方向に短い寸法のものでは、一体化した場合の強度が不足し、一体化後の加工、移送、施工などに不都合を生じやすい。
木質片のサイズについては、小さすぎると法枠用材の取り扱い時に折れや欠けが生じやすくなるし、また、大きすぎても圧縮時のプレス反力が高くなり、また法枠の崩壊後のチップが目に付きやすいので、長さ２０ｍｍ〜１５０ｍｍの範囲とするのが好適である。
【００２１】
本発明の木質法枠用材においては、その木質材料について、木質片同士が略１方向に揃えられ一体化されているのが好ましい。法枠用材は通常棒状であるため、長手方向の強度がないと移送時や施工時に折れる恐れがある。そのため、複数の木質片が略１方向に並ぶようにするなどして木質片同士が略１方向に揃えられ一体化されている木質材料のほうが軸方向の強度に優れこのような問題がない。
また、木質材料は、木質片同士を略１方向に揃えてなる木質片群を、熱圧成形することにより一体化させたものが好ましい。熱圧成形するのは、さらに接着剤を用いて行われるのが好ましい。また、熱圧成形するに際し、水蒸気加熱を行うのが好ましい。
【００２２】
本発明の木質法枠用材において接着剤を用いたものでは、接着剤の種類及び／又は接着剤の木質片に対する配合割合を適宜調整することにより、法枠としたときに法枠が崩壊されるまでの時間を調整することが可能になる。
法枠は、法面の植生基盤が大きく崩壊するのを防ぐ役目をしており、植生が根付き、基盤が安定化するまでは、その役目を果たさねばならないが、基盤安定後は景観上、法枠が見えなくなることが好ましい。接着剤の種類及び／又は配合量を調整することで法枠が崩壊するまでの時間を調整することができる。耐水性の高い接着剤を用いると崩壊時間が長く、耐水性の低い接着剤を用いると早く崩壊する。また、接着剤の配合でも同様に耐水性によって崩壊する時間を調整することができる。また、接着剤をまったく使わない場合が最も早く崩壊し、接着剤の量を増やすほど法枠が崩壊するまでの時間が長くなる。
【００２３】
接着剤としては、一般的な木材接着剤を使用することができる。木材接着剤の例としては、ユリア樹脂接着剤、メラミン・ユリア共縮合樹脂接着剤、フェノール・メラミン共縮合樹脂接着剤、フェノール樹脂接着剤、レゾルシノール樹脂接着剤、イソシアネート系接着剤、水性高分子―イソシアネート系接着剤なども挙げられるが、環境面に配慮すると、天然物由来の成分を含むもの、中でも天然物由来の接着剤、例えばにかわ、カゼイン、タンニン、リグニン等が好ましい。
接着剤は木質片表面に付着し、木質片同士を接合させる。
【００２４】
また、本発明の木質法枠用材は、さらに植生用添加剤を含むものが好ましい。植生用添加剤は、法面の植生環境上有益な効果を提供することができる物質であれば特に制限されず、例えば肥料、成長促進剤、発芽促進剤、水分保持材、土壌改良材等が挙げられる。これらは１種用いてもよいし、また、２種以上を組み合わせて用いてもよい。
法枠は、法面の植生基盤が大きく崩壊するのを防ぐ役目をしており、植生が根付き、基盤が安定化するまでは、その役目を果たさねばならない。法枠は、さらに、確実に、そして早期に法面の植生基盤を安定させるものが望ましい。このような好適な法枠用の木質法枠用材として、その含有成分に植生用添加剤、特に肥料等の植生の成長を促進するものが用いられ、それにより、植生基盤の早期安定化が可能になる。
【００２５】
また、本発明には、上記の木質法枠用材からなる木質法枠も包含される。この木質法枠としては、木質法枠用材が法面に沿って枠状、例えば格子状等に配設されるように組まれてなるものが好ましい。
【００２６】
本発明の木質法枠用材は、木質片同士を略１方向に揃えてなる木質片群を、熱圧成形して一体化することにより製造することができる。熱圧成形するのは、好ましくはさらに接着剤を用いて行われる。好適な熱圧成形条件は、加熱温度については、１００〜２５０℃、中でも１５０〜２００℃の範囲で選ばれ、圧力については、０．５〜２０ＭＰａ、中でも１〜１０ＭＰａの範囲で選ばれる。
【００２７】
また、熱圧成形するに際し、水蒸気加熱を行うのが好ましい。水蒸気加熱によれば、水蒸気が木質片を軟化し圧縮時の圧力が低減されるのに加えて、木質片の圧縮応力が緩和されるなどの効果が奏される。また、水蒸気加熱によれば、厚い材料でも内央まで熱が早く伝わる利点がある。内央まで熱が伝わらないと、接着不良等を生じて材の内央部分に割れを生じるいわゆるパンクを生じやすく、またパンクを生じなくても強度物性が低いという問題が生じやすい。特に、接着剤の量が少ない場合または接着剤を使用しない場合はパンクを生じやすいので水蒸気を用いた加熱方法が好適である。具体的には蒸気噴射プレス装置を用いる方法や高周波加熱プレス装置を用いる方法がある。これらの加熱方法に加えて、その他の加熱方法を併用してもよい。
【００２８】
水蒸気加熱においては１５０℃〜２００℃の水蒸気を用いるのが好ましい。１５０℃未満の温度の水蒸気では、熱伝達が不十分で木質片同士を一体化或いは接着一体化するための加熱時間が長くなり、経済的でないし、また、２００℃を超える温度の水蒸気では、装置が大掛かりになるとともに木質材料の劣化が起こり、好ましくない。
【００２９】
上記した製造方法において、木質片は一般には成形や接着に適した含水率まで乾燥あるいは調湿するのが好ましい。
【００３０】
本発明の法枠用材を法面に固定する方法については、特に限定されないが、法枠用材に穴を開けこの穴にアンカーを差し込んで法面に固定する方法などがある。この固定法の場合、アンカーも木質材料や生分解性プラスチックなど、自然に分解される素材が好適である。
【実施例】
【００３１】
以下、実施例により本発明をさらに詳しく説明するが、本発明はこれらの例によって何ら限定されるものではない。
【００３２】
実施例１
２０ｍｍ〜１５０ｍｍの範囲にある木質片を質量基準で７０％以上含む木質片群を含水率０〜１０％までオーブンで乾燥したのち、木質片がほぼ１方向を向くように配向させてマット状とし、これをさらに積層状とし、蒸気噴射プレス装置にて１８０℃に加熱しながら５分間圧締して賦形し、含水率１０％に調整して気乾密度が０．７５ｇ／ｃｍ３で、木質片の配向方向に１０００ｍｍ、その垂直方向に５０ｍｍ角の寸法の角材成形品を得た。
これを、屋外の整地した緑地の上に置き、１カ月経過後には触ると木質片へ崩壊し、１年後経過後には木質片として散らばり、腐朽していた。
これより、この成形品は、景観上、生態系上の問題に十分に対処しうる木質法枠用材とするのが可能であることが分かる。
【００３３】
実施例２
木質片群を乾燥したのち、マット状とする前に、木質片群をドラムブレンダーに入れ、木質片群１ｋｇあたり、スミジュール４４Ｖ１０（商品名、住友バイエルウレタン社製、木材用接着剤）を４０ｇスプレーで塗布したこと以外は、実施例１と同様にして角材成形品を得た。
これを、屋外の整地した緑地の上に置き、１カ月経過後では崩壊しないものの、細かなクラックが観察され、１年後経過後には一部木質片として散らばり、そうでない部分も触ると木質片へ崩壊した。
これより、この成形品は、景観上、生態系上の問題に対処しうる木質法枠用材とするのが可能であることが分かる。
【００３４】
比較例１
実施例１の角材成形品に代えて、長さが１０００ｍｍの５０ｍｍ角スギ材を用いた以外は実施例１と同様にして、木質法枠用材として観察した結果、１カ月経過しても変化は見られず、１年後経過後も一部は腐朽しているものの、形状はそのままであった。
これより、この成形品は、木質法枠用材としては、景観上、生態系上の問題には十分には対処しえないことが分かる。
【産業上の利用可能性】
【００３５】
本発明の木質法枠用材は、景観、生態系等の環境面の問題に対処しうる上に、所要部材が少なく、構造的にも簡単で経済的であるので、これを法面に沿ってほぼ格子状等の枠状に配設されるように組んでなる法枠として用いることにより、ある程度の期間経過で木質片へ崩壊し、木質片も自然に分解され、景観、生態系等の環境面に配慮しえたものとなるなど、産業上大いに有用である。